(57)【要約】【課題】下地板の状態に関わらず既存モルタル外壁と新設モルタル外壁との止水性を確保する。【解決手段】下地板１１と、端面１５に沿って設けられたシーリング材２１と、シーリング材２１に沿って延在して下地板１１上に敷設されるとともにシーリング材２１を端面１５に向けて押える接合用押え材３０と、下地板１１上に敷設される防水シート２２およびラス網２３と、防水シート２２を接合用押え材３０上に固着させる固着手段（防水テープ２５）と、シーリング材２１、接合用押え材３０、防水テープ２５、防水シート２２およびラス網２３が埋設されるように塗り込まれた新たなモルタル層２４とを備えており、接合用押え材３０は、下地板１１上に敷設される受板部３１とシーリング材を押える押板部３２とを備えており、防水シート２２の縁部およびラス網２３の縁部は、受板部３１上に重なるように積層配置されている。【選択図】図２
2018112002.tif 000002
【特許請求の範囲】
【請求項１】
既存モルタル外壁と新設モルタル外壁とを接続するモルタル外壁の接続構造であって、
前記新設モルタル外壁は、前記既存モルタル外壁の端面から突出する下地板と、前記既存モルタル外壁の端面に沿って設けられたシーリング材と、前記シーリング材に沿って延在して前記下地板上に敷設されるとともに前記シーリング材を前記端面に向けて押える接合用押え材と、前記下地板上に敷設される防水シートおよびラス網と、前記防水シートを前記接合用押え材上に固着させる固着手段と、前記シーリング材、前記接合用押え材、前記固着手段、前記防水シートおよび前記ラス網が埋設されるように塗り込まれた新たなモルタル層とを備えており、
前記接合用押え材は、前記下地板上に敷設される受板部と前記シーリング材を押える押板部とを備えており、
前記防水シートの縁部および前記ラス網の縁部は、前記受板部上に重なるように積層配置されている
ことを特徴とするモルタル外壁の接続構造。
【請求項２】
前記接合用押え材は、断面Ｌ字形状を呈しており、
前記押板部は、前記受板部の端部から屈曲して立ち上がっている
ことを特徴とする請求項１に記載のモルタル外壁の接続構造。
【請求項３】
前記押板部の前記シーリング材側の面には、防水性の弾性部材が敷設されている
ことを特徴とする請求項１または請求項２に記載のモルタル外壁の接続構造。
【請求項４】
既存モルタル外壁と新設モルタル外壁とを接続するモルタル外壁の接続構造に用いられる接合用押え材であって、
前記接合用押え材は、前記既存モルタル外壁の端面から突出する下地板上に敷設される受板部と、前記既存モルタル外壁の端面に沿って設けられたシーリング材を前記端面に向けて押える押板部とを備えており、
前記押板部は、前記受板部の端部から屈曲して立ち上がっている
ことを特徴とするモルタル外壁の接続用押え材。
【発明の詳細な説明】
【技術分野】
【０００１】
本発明は、既設モルタルと新設モルタルとを接合するモルタル外壁の接合構造および接合用押え材に関する。
【背景技術】
【０００２】
モルタル外壁を用いた建築物において、モルタル外壁の劣化やクラック、雨漏りやサッシ付け替えなどの改修工事を行うには、たとえば非特許文献１に示すような施工方法があった。この施工方法では、まず、損傷部分のモルタル、ラスおよび防水紙を除去した後、モルタルの端部をケレン等で除去して既存ラスと既存防水紙を３０ｍｍ程度露出させる。そして、新たな防水紙を除去した部分に被せて、新設の防水紙の周縁部を既設の防水紙に重ねる。新設の防水紙の周囲に防水テープを張り付けた後、新設の防水紙上にラスを張り付け、その上にモルタルを塗り付ける。
【０００３】
しかしながら、前記の施工方法では、既存の防水紙が経年劣化している場合が多く、既設の防水紙と新たな防水紙を重ねて防水層を形成すると防水性能を確保できないこともあるので、現在ではあまり採用されていない。近年では、たとえば特許文献１に示すような接合方法が採用されている。特許文献１の接合方法は、まず、既設モルタルのうち、下地板となるラス板を除く既設モルタルを切断して、ラス板を露出させる。既設モルタルの切断面近傍のラス板上に防水テープを張着し、既設モルタルの切断面とラス板との入隅部にシーリング材を塗る。そして、ラス板上に防水テープを覆うように防水シートを敷設した後、ラス網を敷設する。その後、シーリング材を覆うように樹脂モルタルを塗り、この樹脂モルタルを覆うようにモルタルを塗る。このような接合方法によれば、既設のモルタルと新設のモルタル間での止水性を確保することができる。
【先行技術文献】
【特許文献】
【０００４】
【特許文献１】特開２０１１−５８１６９号公報
【非特許文献】
【０００５】
【非特許文献１】「外壁モルタル仕上げの改修マニュアル−木造住宅編−」日本建築仕上材工業会、平成１８年１０月、ｐ４０−４１
【発明の概要】
【発明が解決しようとする課題】
【０００６】
ところで、モルタル壁の下地板となるラス板は、通常狭い隙間をあけて敷設されているが、既存のモルタル外壁では、ラス板間の隙間が大きくなっている場合もある。特許文献１の接合方法において、ラス板間の隙間が大きいと、シーリング材や防水シートを安定して受けることができず、止水性が低下してしまう問題があった。
【０００７】
そこで、本発明は、前記の問題を解決するためになされたものであり、下地板の状態に関わらず止水性を確保できるモルタル外壁の接合構造および接合用押え材を提供することを課題とする。
【課題を解決するための手段】
【０００８】
前記課題を解決するための第一の本発明は、既存モルタル外壁と新設モルタル外壁とを接続するモルタル外壁の接続構造であって、前記新設モルタル外壁は、前記既存モルタル外壁の端面から突出する下地板と、前記既存モルタル外壁の端面に沿って設けられたシーリング材と、前記シーリング材に沿って延在して前記下地板上に敷設されるとともに前記シーリング材を前記端面に向けて押える接合用押え材と、前記下地板上に敷設される防水シートおよびラス網と、前記防水シートを前記接合用押え材上に固着させる固着手段と、前記シーリング材、前記接合用押え材、前記固着手段、前記防水シートおよび前記ラス網が埋設されるように塗り込まれた新たなモルタル層とを備えており、前記接合用押え材は、前記下地板上に敷設される受板部と前記シーリング材を押える押板部とを備えており、前記防水シートの縁部および前記ラス網の縁部は、前記受板部上に重なるように積層配置されていることを特徴とする。
【０００９】
このような構成によれば、接合用押え材と既存モルタル外壁の端面とでシーリング材を挟んでいるので、接合用押え材と既存モルタル外壁間で止水性を確保できる。また、接合用押え材の受板部で固着手段を介して防水シートを受けるので、隣り合う下地板間に大きい隙間がある場合でも接合用押え材に隙間なく防水シートを張り付けることができる。したがって、接合用押え材と防水シート間で止水性を固着手段で確保でき、ひいては既存モルタル外壁と新設モルタル外壁との間で止水性を確保することができる。
【００１０】
本発明のモルタル外壁の接続構造では、前記接合用押え材は、断面Ｌ字形状を呈しており、前記押板部は、前記受板部の端部から屈曲して立ち上がっていることが好ましい。このような構成によれば、受板部の厚さ寸法を小さくしつつ、押板部の高さ寸法を大きくすることができる。よって、受板部と下地板の段差を小さくできるので、ラス網を平らに近い状態で設置できる。
【００１１】
本発明のモルタル外壁の接続構造では、前記押板部の前記シーリング材側の面には、防水性の弾性部材が敷設されていることが好ましい。このような構成によれば、弾性部材は、圧縮された状態で、シーリング材を押圧するので、シーリング材と切断端面との止水性をさらに高くすることができる。また、切断端面に凹凸がある場合には、弾性部材の変形量が変わることで、凹凸を吸収することができる。
【００１２】
前記課題を解決するための第二の本発明は、既存モルタル外壁と新設モルタル外壁とを接続するモルタル外壁の接続構造に用いられる接合用押え材であって、前記接合用押え材は、前記既存モルタル外壁の端面から突出する下地板上に敷設される受板部と、前記既存モルタル外壁の端面に沿って設けられたシーリング材を前記端面に向けて押える押板部とを備えており、前記押板部は、前記受板部の端部から屈曲して立ち上がっていることを特徴とする。
【００１３】
このような構成によれば、接合用押え材と既存モルタル外壁の端面とで容易にシーリング材を挟むことができるので、接合用押え材と既存モルタル外壁間で止水性を確保できる。また、接合用押え材の受板部で固着手段を介して防水シートを受けるようにすれば、隣り合う下地板間に大きい隙間がある場合でも接合用押え材に隙間なく防水シートを張り付けることができる。したがって、接合用押え材と防水シート間で止水性を固着手段で確保でき、ひいては既存モルタル外壁と新設モルタル外壁との間で止水性を確保することができる。
【発明の効果】
【００１４】
本発明に係るモルタル外壁の接合構造および接合用押え材によれば、下地板間の隙間が大きい場合などであっても、下地板の状態に関わらず止水性を確保することができる。
【図面の簡単な説明】
【００１５】
【図１】本発明の実施形態に係るモルタル外壁の接合構造の既存モルタル外壁を示した一部破断斜視図である。
【図２】本発明の実施形態に係るモルタル外壁の接合構造を示した断面図である。
【図３】本発明の実施形態に係るモルタル外壁の接合構造を説明するための図であって、既存モルタル外壁の一部を切除した状態を示した斜視図である。
【図４】本発明の実施形態に係るモルタル外壁の接合構造を説明するための図であって、既存モルタル外壁の端面に沿ってシーリング材を設けた状態を示した斜視図である。
【図５】本発明の実施形態に係るモルタル外壁の接合構造を説明するための図であって、シーリング材を接合用押え材で押さえた状態を示した斜視図である。
【図６】本発明の実施形態に係るモルタル外壁の接合構造を説明するための図であって、他の方向に延在するシーリング材を他の接合用押え材で押さえた状態を示した斜視図である。
【図７】本発明の実施形態に係るモルタル外壁の接合構造を説明するための図であって、防水シートを敷設した状態を示した斜視図である。
【図８】本発明の実施形態に係るモルタル外壁の接合構造を説明するための図であって、ラス網を敷設した状態を示した斜視図である。
【図９】接合用押え材の変形例を説明するための図であって、（ａ）は折り曲げ前の状態を示した斜視図、（ｂ）は折り曲げ後の状態を示した斜視図である。
【発明を実施するための形態】
【００１６】
本発明の実施形態に係るモルタル外壁の接合構造および接合用押え材について、図面を参照して詳細に説明する。本実施形態では、既存モルタル外壁にクラック等の破損が発生した際に、破損箇所を切除して新設モルタル外壁を構築する場合を例に挙げて、既存モルタル外壁と新設モルタル外壁との接続構造を説明する。
【００１７】
図１に示すように、既存モルタル外壁１０は、下地板１１と防水シート１２とラス網１３とモルタル層１４とを備えてなる。下地板１１は、木製の長尺板材（木摺板）からなり、間柱（図示せず）間に架け渡されている。下地板１１は、複数設けられており、隙間１６をあけて互いに平行になるように並列されている。防水シート１２は、複数の下地板１１，１１・・と隙間１６も含んで外壁面全体を覆うように敷設されている。ラス網１３は、防水シート１２を覆うように敷設されている。防水シート１２はステープル等で下地板１１および防水シート１２に固定されている。モルタル層１４は、防水シート１２上に、ラス網を埋め込むようにモルタルを塗り付けて形成されている。
【００１８】
図２に示すように、新設モルタル外壁２０は、既存モルタル外壁１０の切断端面１５から突出する下地板１１と、既存モルタル外壁１０の切断端面１５に沿って設けられたシーリング材２１と、シーリング材２１を切断端面１５に向けて押える接合用押え材３０と、下地板１１上に敷設される防水シート２２およびラス網２３と、防水シート２２を接合用押え材３０上に固着させる防水テープ２５（固着手段）と、シーリング材２１、接合用押え材３０、防水テープ２５、防水シート２２およびラス網２３が埋設されるように塗り込まれた新たなモルタル層２４とを備えている。なお、図２は、下地板１１間の隙間１６の位置で、隙間１６に沿って切断した断面図である。
【００１９】
下地板１１は、既存モルタル外壁１０を切除した際に残置されたものであって、既設の木摺板が利用されている。下地板１１は、既存モルタル外壁１０の切断端面１５の建物内側から切除部分側に突出している（図３参照）。下地板１１上に張り付けられていた既設の防水シートとラス網は撤去されている。
【００２０】
シーリング材２１は、公知のシーリング材、たとえば、ＪＩＳ  Ａ  ５７５８：２００４による建築用シーリング材、またはアスファルト系のシーリング材、接着剤などからなり、弾性を有する止水材にて構成されている。シーリング材２１は、既存モルタル外壁１０の切断端面１５の下地板１１側の端部に沿って設けられている。シーリング材２１は、接合用押え材３０によって切断端面１５に付勢されており、切断端面１５と接合用押え材３０の両面に密着している。シーリング材２１は、切断端面１５の厚さ寸法よりも小さい寸法で切断端面１５に密着していて、シーリング材２１がモルタル外壁の表面からはみ出さないようになっている。本実施形態では、シーリング材２１の高さ寸法（モルタル外壁の厚さ方向寸法）は、切断端面１５の厚さ寸法の略半分になっている。シーリング材１５の端部は、下地板１１の表面に当接するか、または隙間１６に対向している。
【００２１】
接合用押え材３０は、シーリング材２１に沿って延在しており、下地板１１上に敷設されている。接合用押え材３０は、シーリング材２１を圧縮した状態で、切断端面１５との間で挟持する。接合用押え材３０は、金属製または樹脂製の板材からなり、受板部３１と押板部３２とを備えている。接合用押え材３０は、断面Ｌ字形状を呈している。押板部３２と受板部３１は、直交して連続している。
【００２２】
受板部３１は、下地板１１上に敷設される平板状部分であって、複数の下地板１１，１１・・と下地板１１，１１間の隙間１６を覆って配置されている。受板部３１の表面には、防水シート２２を接着するための防水テープ２５が張り付けられている。受板部３１は、防水テープ２５、防水シート２２の受材の役目を果たす。受板部３１の幅寸法（切断端面１５側からの突出寸法）は、防水テープ２５の幅よりやや広い。防水テープ２５を張るタイミングは、防水シート２２を敷設する前であればいつでもよく、受板部３１に予め張られていてもよいし、防水シート２２を張る直前に張り付けてもよい。防水テープ２５の幅寸法は、受板部３１に張付可能なように受板部３１の幅寸法より小さい。防水テープ２５の幅寸法は、大きい方が高い止水性を得られる。接合用押え材３０の長手方向端部の受板部３１は、先端側の角部が面取りされている（図５参照）。接合用押え材３０を直角に交差して配置した際に、受板部３１の長手方向端部の一部が重なり合う。
なお、防水シート２２を接合用押え材３０上に固着させる固着手段は、防水テープ２５に限定されるものではない。防水テープ２５の他に、各種シーリング材や接着剤などの不定形材料も代用でき、防水テープ２５と不定形材料との組み合わせも可能である。
【００２３】
押板部３２は、シーリング材２１を押える平板状部分であって、受板部３１の既存モルタル外壁１０側の端部から直角に屈曲して外側に立ち上がっている。押板部３２の立ち上がり寸法は、シーリング材２１の立ち上がり寸法と同等である。押板部３２のシーリング材２１側の面には、防水性の弾性部材３３が敷設されている。弾性部材３３は、合成ゴム、プラスチックまたはこれらの発泡体にて構成されている。弾性部材３３は、圧縮された状態で、シーリング材２１を押圧する。
【００２４】
防水シート２２は、切除部分を覆う形状である。防水シート２２は、縁部が受板部３１上に重なるように配置されて、受板部３１上の防水テープ２５にて受板部３１に固定されている。
【００２５】
ラス網２３は、切除部分を覆う形状であって、防水シート２２上に敷設されている。ラス網２３は、ステープル等で下地板１１および防水シート２２に固定されている。
【００２６】
モルタル層２４は、防水シート２２上に、ラス網２３を埋め込むようにモルタルを塗り付けて形成されている。モルタル層２４は、シーリング材２１、接合用押え材３０、防水テープ２５、防水シート２２およびラス網２３の全てが埋設されるように形成されている。モルタル層２４は、表面が既存モルタル外壁１０のモルタル層１４の表面と面一になっている。
【００２７】
次に、既存モルタル外壁１０の破損箇所を改修する工程を説明する。既存モルタル外壁１０の破損箇所を改修するに際しては、まず、図３に示すように、破損箇所を含む部分を切除する。既存モルタル外壁１０の切除は、ディスクグラインダーや丸のこ等の工具を用いて、下地板１１以外の部分、つまり、防水シート１２とラス網１３とモルタル層１４を切除して剥がす。このとき、下地板１１の長手方向に沿った切断面は、隙間１６ではなく下地板１１上に位置するようにする。これによって、下地板１１は、既存モルタル外壁１０の切断端面１５の建物内側から切除部分側に突出している状態となる。以降、既存モルタル外壁１０を切除した部分に新設モルタル外壁２０を形成する。
【００２８】
新設モルタル外壁２０を形成するには、まず、図４に示すように、既存モルタル外壁１０の切断端面１５に沿ってシーリング材２１を設ける。シーリング材２１は、切断端面１５の下地板１１側の端部に沿って敷設する。シーリング材２１は、切除部分の周縁部全周に渡って設ける。
【００２９】
その後、図５に示すように、接合用押え材３０をシーリング材２１に沿わせて下地板１１，１１上に敷設する。具体的には、押板部３２が切断端面１５に平行になるように、接合用押え材３０を設置する。このとき押板部３２をシーリング材２１に押し当てて、シーリング材２１を圧縮した状態となる位置で、接合用押え材３０を下地板１１に固定する。接合用押え材３０は、両面テープ、釘やビス等で下地板１１に固定する。これによって、シーリング材２１が、切断端面１５および押板部３２の両方と密着することになるので、切断端面１５とシーリング材２１と接合用押え材３０との間で止水性を確保できる。その後、受板部３１の表面に防水テープ２５を張り付ける。
【００３０】
切除部分の角部では、図６に示すように、互いに交差する接合用押え材３０，３０の受板部３１，３１の端部同士を重ねる。以上のように接合用押え材３０を設けることで、切除部分の周縁部全周に渡って受板部３１が下地板１１，１１間の隙間１６を覆うこととなる。これによって、切除部分の周縁部全周に渡って連続する下地が形成されることとなる。
【００３１】
次に、図７に示すように、防水シート２２を、切除部分を覆うように敷設する。防水シート２２の縁部は、接合用押え材３０の受板部３１上に配置し、防水テープ２５によって張り付ける。その後、図８に示すように、ラス網２３を、切除部分を覆うように敷設する。ラス網２３は、防水シート２２上に敷設し、ステープル（図示せず）にて、下地板１１および防水シート２２に固定する。これによって、防水シート２２の縁部およびラス網２３の縁部は、受板部３１上に重なるように積層配置される。
【００３２】
その後、切除部分にモルタルを塗り付けてモルタル層２４を形成する。モルタルは、防水シート２２上に、ラス網２３を埋め込むように塗り付ける。モルタルは、切断端面１５の表面まで塗り付けて、シーリング材２１、接合用押え材３０、防水テープ２５、防水シート２２およびラス網２３の全てを埋設させる。以上の工程で、新設モルタル外壁２０（図２参照）が完成する。
【００３３】
本実施形態のモルタル外壁の接合構造１によれば、接合用押え材３０と既存モルタル外壁１０の切断端面１５とでシーリング材２１を圧縮した状態で挟んでいるので、シーリング材２１と接合用押え材３０と既存モルタル外壁１０間で止水性を確保できる。  シーリング材２１は、切断端面１５と接合用押え材３０の押板部３２とで挟まれているので、下地板１１，１１間の隙間１６がある場合であっても、シーリング材２１の全周に渡って止水性が得られる。したがって、仮に、モルタル層１４とモルタル層２４との間（切断端面１５の部分）に水みちが発生して水が浸入したとしても、シーリング材２１で確実に止水することができる。よって、シーリング材２１の周囲から下地板１１側に水が浸入することを防止できる。
【００３４】
また、接合用押え材３０の受板部３１で、防水テープ２５、防水シート２２を受けるので、隣り合う下地板間に大きい隙間１６がある場合でも、新設モルタル外壁２０の全周に渡って受け部が存在することになる。よって、接合用押え材３０側に水が浸入したとしても、接合用押え材３０と防水シート２２との間で防水テープ２５が設けられていて、防水シート２２を接合用押え材３０に固着しているので確実に止水できる。したがって、接合用押え材３０と防水シート２２との間から下地板１１側に水が浸入することを防止できる。
【００３５】
つまり、本実施形態によれば、既存モルタル外壁１０と新設モルタル外壁２０との間で高い止水性を確保することができる。
【００３６】
さらに、本実施形態の接合用押え材３０は、断面Ｌ字形状を呈しており、押板部３２は、受板部３１の端部から屈曲して立ち上がっているので、受板部３１の厚さ寸法を小さくしつつ、押板部３２の立上り寸法をモルタル外壁の厚さに応じて大きくすることができる。よって、受板部３１と下地板１１の段差を小さくできるので、ラス網２３を平らに近い状態で設置できる。さらに、押板部３２の立上り寸法を大きくできるので、シーリング材２１のシール面を大きく確保できる。よって、シーリング材２１回りの止水性を高くすることができる。さらに、接合用押え材３０は、比較的簡単な構造であるので、容易に製造できる。
【００３７】
押板部３２のシーリング材２１側の面に弾性部材３３が敷設されていて、弾性部材３３は、圧縮された状態で、シーリング材２１を押圧するので、シーリング材２１と切断端面１５との止水性をさらに高くすることができる。また、切断端面１５に凹凸がある場合には、弾性部材３３の変形量が変わることで、凹凸を吸収することができるので、シーリング材２１の全長に渡って高い止水性を確保することができる。
【００３８】
以上、本発明を実施するための形態について説明したが、本発明は前記実施形態に限定されず、本発明の趣旨を逸脱しない範囲で適宜設計変更が可能である。たとえば、前記実施形態では、既存モルタル外壁の破損箇所を切除して新設モルタル外壁を構築する場合を例に挙げて説明したが、これに限定されるものではない。本発明に係るモルタル外壁の接続構造および接合用押え材は、たとえば、サッシを交換する場合のサッシ周りのモルタル外壁の改修や、モルタル外壁の耐震性を向上させるためにモルタル外壁を新設する耐震改修などの工事にも適用することができる。
【００３９】
また、前記実施形態では、接合用押え材３０が断面Ｌ字形状を呈しているがこれに限定されるものではない。たとえば、下地板に接する面とシーリング材に接する面が直交する断面直角三角形状や、断面台形形状などの他の形状であってもよい。
【００４０】
さらに、前記実施形態では、接合用押え材３０が直角に交差する部分では、別途の接合用押え材３０，３０を重ねるようにしたが、これに限定されるものではない。図９に示すように、一枚の接合用押え材１３０を折り曲げるようにしてもよい。接合用押え材１３０を折り曲げる際には、図９の（ａ）に示すように、受板部３１に切欠き部１３１を形成する。切欠き部１３１は、押板部３２との折り曲げ部分が頂点となる三角形状に切り欠かれる。そして、切欠き部１３１の頂点部分の押板部３２を直角に折り曲げる。このとき、切欠き部１３１の両側の受板部３１の一部が重なり合う。このように構成すれば、押板部３２が連続するので、止水性能がより一層向上する。
【符号の説明】
【００４１】
１      接合構造
１０    既存モルタル外壁
１１    下地板
１２    防水シート
１３    ラス網
１４    モルタル層
１５    切断端面（端面）
２０    新設モルタル外壁
２１    シーリング材
２２    防水シート
２３    ラス網
２４    モルタル層
２５    防水テープ
３０    接合用押え材
３１    受板部
３２    押板部
３３    弾性部材
１３０  接合用押え材
【図１】
2018112002.tif 000003
【図２】
2018112002.tif 000004
【図３】
2018112002.tif 000005
【図４】
2018112002.tif 000006
【図５】
2018112002.tif 000007
【図６】
2018112002.tif 000008
【図７】
2018112002.tif 000009
【図８】
2018112002.tif 000010
【図９】
2018112002.tif 000011